(57)【特許請求の範囲】
【請求項１】
滞留中の通信ジョブの情報を含む送信予約テーブルを格納する第１の記憶手段と、送信すべき画像データを記憶する第２の記憶手段と、上記記憶された画像データを上記送信予約テーブルに従って通信回線を介して相手先に送信する送信手段と、所定の情報を表示する表示手段とを備えた通信端末装置において、
当該通信端末装置の通信中において、上記滞留中の通信ジョブの総数であって、当該滞留中の通信ジョブにおいて同報送信を含まないときは送信予約済みの通信ジョブの数であるが、同報送信を含むときは、当該各通信ジョブの宛先数の和を通信ジョブの総数として上記表示手段に表示するように制御する制御手段を備えたことを特徴とする通信端末装置。
【請求項２】
上記制御手段は、上記第２の記憶手段に記憶された送信すべき画像データのサイズと、上記送信手段の最大通信速度とに基づいて、これから通信する通信ジョブの通信時間の合計である概略の待ち時間を計算し、上記表示手段に表示するように制御することを特徴とする請求項１記載の通信端末装置。
【請求項３】
上記送信手段に接続された通信回線を複数備え、上記制御手段は、上記滞留中の通信ジョブの数を上記通信回線の数で除算した値を上記表示手段に表示するように制御することを特徴とする請求項１又は２記載の通信端末装置。
【請求項４】
上記表示手段における上記滞留中の通信ジョブの数の表示欄は、読み取り解像度又は読み取り濃度の表示欄と共用したことを特徴とする請求項１乃至３のうちのいずれか１つに記載の通信端末装置。
【発明の詳細な説明】
【０００１】
【発明の属する技術分野】
本発明は、所定のデータを表示する表示手段を備えたファクシミリ装置などの通信端末装置に関する。
【０００２】
【従来の技術】
従来のファクシミリ装置では、送信すべき原稿画像を画像読取部により読み取って画像データに変換して画像メモリに記憶し、その相手先の電話番号や送信時刻情報などとともに、これから送信すべき通信ジョブの情報を送信予約テーブルを格納した後、指定された送信時刻になれば、上記送信予約テーブルに従って、上記記憶された対応する画像データを読み出して公衆電話回線など通信回線を介して相手先に送信している。
【０００３】
【発明が解決しようとする課題】
しかしながら、従来のファクシミリ装置においては、送信予約テーブルに格納されたメモリ送信の通信ジョブが滞留している場合、新たに送信を指示してどれくらい待つかは判らないという問題点があった。
【０００４】
本発明の目的は以上の問題点を解決し、送信予約テーブルに格納された通信ジョブが滞留している場合において、その通信ジョブ数を表示できるファクシミリ装置などの通信端末装置を提供することにある。
【０００５】
【課題を解決するための手段】
本発明に係る通信端末装置は、滞留中の通信ジョブの情報を含む送信予約テーブルを格納する第１の記憶手段と、送信すべき画像データを記憶する第２の記憶手段と、上記記憶された画像データを上記送信予約テーブルに従って通信回線を介して相手先に送信する送信手段と、所定の情報を表示する表示手段とを備えた通信端末装置において、当該通信端末装置の通信中において上記滞留中の通信ジョブの数を上記表示手段に表示するように制御する制御手段を備えたことを特徴とする。
【０００６】
また、上記通信端末装置において、上記送信手段に接続された通信回線を複数備え、上記制御手段は、上記滞留中の通信ジョブの数を上記通信回線の数で除算した値を上記表示手段に表示するように制御することを特徴とする。
【０００７】
さらに、上記通信端末装置において、上記表示手段における上記滞留中の通信ジョブの数の表示欄は、読み取り解像度又は読み取り濃度の表示欄と共用したことを特徴とする。
【０００８】
【発明の実施の形態】
以下、図面を参照して本発明に係る実施形態について説明する。
【０００９】
図１は、本発明に係る実施形態であるファクシミリ装置２０の構成を示すブロック図である。
【００１０】
図１のファクシミリ装置２０において、送信すべき原稿画像を画像読取部２により読み取って画像データに変換して画像メモリ８に記憶し、その相手先の電話番号や送信時刻情報などとともに、これから送信すべき通信ジョブの情報をＲＡＭ７内の送信予約テーブル７ａを格納した後、指定された送信時刻になれば、上記送信予約テーブル７ａに従って、上記記憶された対応する画像データを読み出して公衆電話回線Ｌを介して相手先に送信する。本実施形態においては、特に、主制御部１は、当該ファクシミリ装置２０の通信中において（送信又は受信中を含む。）、図２（ｂ）に示すように、送信予約テーブル７ａに格納された滞留中の通信ジョブの数を表示部４に表示する（図５のステップＳ２４）ように制御することを特徴としている。ここで、滞留中の通信ジョブとは、送信予約テーブル７ａに登録されているが、未だ送信されていない通信ジョブをいう。
【００１１】
また、ファクシミリ装置２０において、複数の公衆電話回線Ｌを備えた場合（ステップＳ２２でＹＥＳ）、主制御部１は、上記滞留中の通信ジョブの数を上記公衆電話回線Ｌの数で除算した値を表示部４に表示する（ステップＳ２３）ように制御することを特徴としている。さらに、表示部４における上記滞留中の通信ジョブの数の表示欄は、図２に示すように、読み取り解像度及び読み取り濃度の表示欄と共用したことを特徴としている。
【００１２】
図１において、ファクシミリ装置２０は、従来のＧ３方式等のファクシミリ通信機能を備えるとともに、ＩＴＵ−Ｔ勧告のＶ．３４モードの通信能力を有するハードウエアのＣＯＤＥＣ回路９と、ＩＴＵ−Ｔ勧告のＶ．１７モード以下の通信能力を有するＲＯＭ６内のＣＯＤＥＣプログラム６ａとを備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１３】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１４】
ＲＯＭ６は、当該ファクシミリ装置２０の動作に必要であって主制御部１によって実行される種々のソフトウェアのプログラムを予め格納し、ここで、当該プログラムは、ＩＴＵ−Ｔ勧告のＶ．１７モード、Ｖ．３２、Ｖ．２７ｔｅｒ、Ｖ．２６ｂｉｓなどに基づく通信能力を有し、画像データの符号化及び復号化を行うＣＯＤＥＣプログラム６ａを含むとともに、図３の通信ジョブ登録処理と、図４及び図５のファクシミリ送信処理とを含む。ＲＡＭ７は、ＳＲＡＭ又はフラッシュメモリ等で構成され、主制御部１のワーキングエリアとして使用されてプログラムの実行時に発生する一時的なデータを記憶する。このＲＡＭ７には、送信予約テーブル７ａが格納され、送信予約テーブル７ａは、即時送信や時刻指定送信などのファクシミリ送信について、送信の通信ジョブ毎に、送信時刻（即時を含む）と、宛先の電話番号と、送信すべき画像データの画像メモリ８でのアドレスなどのデータを含む。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１５】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１６】
以上のように構成された本実施形態のファクシミリ装置２０は、通常のＧ３方式等のファクシミリ通信機能に加えて、上述のＣＯＤＥＣ回路９及びＣＯＤＥＣプログラム６ａを有している。ファクシミリ通信機能において、画像読取部２により読み取られたドットイメージデータはファクシミリ通信の規格で定められているＭＨ，ＭＲ，ＭＭＲ等の符号化方式に従ってＲＯＭ６内のＣＯＤＥＣプログラム６ａ又はＣＯＤＥＣ回路９により符号化された後、相手先のファクシミリ装置に送信される一方、逆に相手先のファクシミリ装置から受信した符号化データはＲＯＭ６内のＣＯＤＥＣプログラム６ａ又はＣＯＤＥＣ回路９によりイメージデータに復号化されて画像記録部３からハードコピーとして出力される。なお、画像メモリ８はイメージデータを必要に応じて記憶し、また逆に記憶しているイメージデータを必要に応じて出力する。
【００１７】
図２（ａ）は図１のファクシミリ装置２０のファクシミリ送信処理においてスタートキーを押す前の表示部４における表示、並びに表示部４の下部周辺に設けられた操作部５の一部を示す正面図である。スタートキーを押す前においては、図２（ａ）に示すように、表示部４の左上部に「スタートキーを押してください」の旨の表示を行い、その次の下側の行（２行目）において、現在日時及びメモリ残量を表示している。また、その次の下側の行（３行目）において、送信原稿のサイズと、読み取り解像度の内容（ノーマル、ファイン、ベリーファインの別）、読み取り濃度の内容（ふつう、濃い、薄いの別）が表示される。さらに、その次の下側の行（４行目）において、その下側の操作キー５ａ，５ｂに対応した項目名「解像度」、「濃度」が表示されている。すなわち、表示部４の右側下部の外側周辺において２つの操作キー５ａ，５ｂが設けられ、各操作キー５ａ，５ｂは、その直上の対応する表示部４の位置に表示される項目のための操作キーとなる。図２（ａ）のように、スタートキーを押す前においては、上記２つの操作キー５ａ，５ｂはそれぞれ解像度キーと濃度キーとなっている。
【００１８】
図２（ｂ）は図１のファクシミリ装置２０のファクシミリ送信処理においてダイヤル中の表示部４における表示、並びに表示部４の下部周辺に設けられた操作部５の一部を示す正面図である。ダイヤル中においては、図２（ｂ）に示すように、表示部４の左上部にダイヤル中の相手先の電話番号の表示を行い、その次の下側の行（２行目）において、現在日時及びメモリ残量を表示している。また、その次の下側の行（３行目）において、送信原稿のサイズと、滞留中の通信ジョブ数が表示される。すなわち、読み取り解像度及び読み取り濃度に代えて、滞留中の通信ジョブ数が表示され、表示部４における滞留中の通信ジョブの数の表示欄は、読み取り解像度及び読み取り濃度の表示欄と共用している。なお、この場合において、操作キー５ａ，５ｂの直上の欄に項目名の表示がないので、操作キー５ａ，５ｂは操作しても処理をしない無効キーとなっている。
【００１９】
図３は、図１の主制御部１によって実行される通信ジョブ登録処理を示すフローチャートである。
【００２０】
図３において、ステップＳ１において、まず、原稿を画像読取部２にセットし、ステップＳ２において操作部５を用いて宛先を入力する。次いで、ステップＳ３においてスタートキーをオンしたか否かが判断され、ＮＯのときはステップＳ２に戻る一方、ＹＥＳのときはステップＳ４に進む。次いで、ステップＳ４において、画像読取部２により原稿を読み取り画像データに変換して、画像メモリ８に格納し、ステップＳ５において当該通信ジョブを送信予約テーブル７ａに追加して当該通信ジョブ登録処理を終了する。
【００２１】
図４及び図５は、図１の主制御部１によって実行されるファクシミリ送信処理を示すフローチャートである。
【００２２】
図４のステップＳ１１において、まず、送信予約テーブル７ａ内の通信ジョブが指定された送信時刻となっているかを判断することにより発呼するか否かが判断され、ＹＥＳとなれば、ステップＳ１２において相手先にダイヤルして発呼した後、ステップＳ１３において公知のファクシミリの通信手順を用いてファクシミリ画像データ送信処理を実行する。次いで、ステップＳ１４において、図２（ｂ）に示すように、相手先の電話番号を表示部４に表示し、ステップＳ１５においてダイヤル中を表示部４に表示し、ステップＳ１６において原稿サイズを表示部４に表示した後、図５のステップＳ２１に進む。
【００２３】
図５のステップＳ２１においては、送信予約テーブル７ａに格納されている滞留中の通信ジョブ数を計数し、ステップＳ２２において自機は複数の通信回線で通信可能か否かが判断され、ＹＥＳのときはステップＳ２３に進む一方、ＮＯのときはステップＳ２４に進む。ステップＳ２３において滞留中の通信ジョブ数を通信回線数で割り、その除算結果の値を残ジョブ数として表示部４に表示してステップＳ２５に進む。なお、図１の図示では、公衆電話回線Ｌは１回線のみであるが、複数回線の公衆電話回線Ｌを設けてもよく、この場合、ファックスモデム１０及びＮＣＵ１１をそれに対応した個数分を設ける。一方、ステップＳ２４において滞留中の通信ジョブ数を残ジョブ数として表示部４に表示してステップＳ２５に進む。
【００２４】
ステップＳ２５において解像度キー５ａ又は濃度キー５ｂが押下されたか否かが判断され、ＹＥＳのときはステップＳ２６に進む一方、ＮＯのときはステップＳ２８に進む。ステップＳ２６において残ジョブ数に変えて解像度及び濃度を表示部４に５秒間表示した後、ステップＳ２７において解像度及び濃度の表示又はエラーの表示に代えて残ジョブ数の表示に戻し、ステップＳ３０に進む。一方、ステップＳ２８においては、紙ジャム又はカバーオープンなどのエラーが発生したか否かが判断され、ＹＥＳであれば、ステップＳ２９において残ジョブ数に代えてエラーを表示部４に表示してステップＳ２８に戻るが、ＮＯであれば、ステップＳ２７に進む。ステップＳ３０において、ファクシミリ画像データ送信処理は終了したか否かが判断され、ＮＯのときはステップＳ２１に戻る一方、ＹＥＳのときはステップＳ３１において回線開放して当該ファクシミリ送信処理を終了する。
【００２５】
以上説明したように、本実施形態によれば、主制御部１は、当該ファクシミリ装置２０の通信中において、図２（ｂ）に示すように、送信予約テーブル７ａに格納された滞留中の通信ジョブの数を表示部４に表示する（図５のステップＳ２４）ように制御する。従って、当該ファクシミリ装置２０において滞留中の通信ジョブ数を把握できるので、これからどれくらい待てばよいかがわかり、ユーザの操作性を向上できる。
【００２６】
また、ファクシミリ装置２０において、複数の公衆電話回線Ｌを備えた場合（ステップＳ２２でＹＥＳ）、主制御部１は、上記滞留中の通信ジョブの数を上記公衆電話回線Ｌの数で除算した値を表示部４に表示する（ステップＳ２３）ように制御する。従って、複数の通信回線で同時送信が出来る場合は実際に即して、通信ジョブの数を表示でき、これからどれくらい待てばよいかがより正確にわかり、ユーザの操作性を向上できる。
【００２７】
さらに、表示部４における上記滞留中の通信ジョブの数の表示欄は、図２に示すように、読み取り解像度及び読み取り濃度の表示欄と共用する。従って、表示部４は大きな表示面積を有する必要が無く、当該装置の操作表示パネルを小型化できる。
【００２８】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００２９】
以上の実施形態において、表示部４における上記滞留中の通信ジョブの数の表示欄は、図２に示すように、読み取り解像度及び読み取り濃度の表示欄と共用しているが、本発明はこれに限らず、読み取り解像度と読み取り濃度とのうちの少なくとも１つの表示欄と共用してもよい。
【００３０】
以上の実施形態において、表示部４において滞留中の通信ジョブの数を表示しているが、この数は、同報送信を含まないときは、送信予約テーブル７ａ内の通信ファイルの数であるが、同報送信を含むときは、各通信ジョブの宛先数の和を通信ジョブの数として表示することが好ましい。
【００３１】
以上の実施形態において、表示部４において滞留中の通信ジョブの数を表示し、この数は、未だ送信されていない通信ジョブの数として定義されているが、本発明はこれに限らず、この数に現在通信中の通信ジョブの数を含めて表示するようにしてもよい。
【００３２】
以上の実施形態において、表示部４において滞留中の通信ジョブの数を表示しているが、これに加えて、概略の待ち時間（これから通信するジョブの通信時間の合計）を、画像メモリ８に格納された画像データのデータサイズと、ファックスモデム１０の最大通信速度に基づいて計算して表示部４に表示してもよい。
【００３３】
【発明の効果】
以上詳述したように本発明に係る通信端末装置によれば、滞留中の通信ジョブの情報を含む送信予約テーブルを格納する第１の記憶手段と、送信すべき画像データを記憶する第２の記憶手段と、上記記憶された画像データを上記送信予約テーブルに従って通信回線を介して相手先に送信する送信手段と、所定の情報を表示する表示手段とを備えた通信端末装置において、当該通信端末装置の通信中において上記滞留中の通信ジョブの数を上記表示手段に表示するように制御する制御手段を備える。従って、当該通信端末装置において滞留中の通信ジョブ数を把握できるので、これからどれくらい待てばよいかがわかり、ユーザの操作性を向上できる。
【００３４】
また、上記通信端末装置において、上記送信手段に接続された通信回線を複数備え、上記制御手段は、上記滞留中の通信ジョブの数を上記通信回線の数で除算した値を上記表示手段に表示するように制御する。従って、複数の通信回線で同時送信が出来る場合は実際に即して、通信ジョブの数を表示でき、これからどれくらい待てばよいかがより正確にわかり、ユーザの操作性を向上できる。
【００３５】
さらに、上記通信端末装置において、上記表示手段における上記滞留中の通信ジョブの数の表示欄は、読み取り解像度又は読み取り濃度の表示欄と共用する。従って、上記表示手段は大きな表示面積を有する必要が無く、当該装置の操作表示パネルを小型化できる。
【図面の簡単な説明】
【図１】本発明に係る実施形態であるファクシミリ装置２０の構成を示すブロック図である。
【図２】（ａ）は図１のファクシミリ装置２０のファクシミリ送信処理においてスタートキーを押す前の表示部４における表示、並びに表示部４の下部周辺に設けられた操作部５の一部を示す正面図であり、（ｂ）は図１のファクシミリ装置２０のファクシミリ送信処理においてダイヤル中の表示部４における表示、並びに表示部４の下部周辺に設けられた操作部５の一部を示す正面図である。
【図３】図１の主制御部１によって実行される通信ジョブ登録処理を示すフローチャートである。
【図４】図１の主制御部１によって実行されるファクシミリ送信処理の第１の部分を示すフローチャートである。
【図５】図１の主制御部１によって実行されるファクシミリ送信処理の第２の部分を示すフローチャートである。
【符号の説明】
１…主制御部、
２…画像読取部、
３…画像記録部、
４…表示部、
５…操作部、
６…ＲＯＭ、
６ａ…ＣＯＤＥＣプログラム、
７…ＲＡＭ、
７ａ…送信予約テーブル、
８…画像メモリ、
９…ＣＯＤＥＣ回路、
１０…ファックスモデム、
１１…ＮＣＵ、
１３…バス、
２０…ファクシミリ装置、
Ｌ…公衆電話回線。
【図１】
0003567919.tif 000002
【図２】
0003567919.tif 000003
【図３】
0003567919.tif 000004
【図４】
0003567919.tif 000005
【図５】
0003567919.tif 000006